【手続補正書】
【提出日】平成18年3月17日(2006.3.17)
【手続補正１】
【補正対象書類名】明細書
【補正対象項目名】発明の名称
【補正方法】変更
【補正の内容】
【発明の名称】撮像システム、遠隔制御機能を有する通信装置及び撮像装置、並びにそれらの制御方法
【手続補正２】
【補正対象書類名】明細書
【補正対象項目名】特許請求の範囲
【補正方法】変更
【補正の内容】
【特許請求の範囲】
【請求項１】
撮像装置と、前記撮像装置を遠隔制御するリモートコントローラとを含む撮像システムであって、
前記撮像装置は、
画像を入力する入力手段と、
前記入力手段から入力された画像と、撮像のタイミングに係る撮像タイミング通知信号とを前記リモートコントローラに送信する送信手段と、
を有し、
前記リモートコントローラは、前記撮像装置から送られた画像を表示すると共に、前記撮像装置から送られた前記撮像タイミング通知信号の内容に応じた撮像タイミング通知を行うよう制御する制御手段を有することを特徴とする撮像システム。
【請求項２】
前記撮像装置は、撮像タイミングまでの残り時間を示すタイミング値を予め定められた時間ごとに変更する第１タイミング値変更手段を更に有し、
前記タイミング値が予め定められた値に到達した時点で撮像を行ない、
前記送信手段は、前記リモートコントローラに、前記タイミング値を表す前記撮像タイミング通知信号を送信し、
前記リモートコントローラは、受信したタイミング値を予め定められた時間ごとに変更する第２タイミング値変更手段を更に有することを特徴とする請求項１に記載の撮像システム。
【請求項３】
前記撮像装置と前記リモートコントローラは複数のリンクを接続することが可能であり、
前記送信手段は、前記画像と撮像タイミング通知信号とを異なるリンクで送信することを特徴とする請求項１に記載の撮像システム。
【請求項４】
撮像装置とリモートコントローラとを有する撮像システムにおいて、
前記撮像装置は、
画像を入力する入力手段と、
前記入力手段から入力された画像と、撮像のタイミングに係る撮像タイミング通知信号とを前記リモートコントローラに送信する送信手段と、
を有し、
前記リモートコントローラは、
前記撮像装置から送られた画像の表示と、前記撮像装置から送られた撮像タイミング通知信号に基づく撮像タイミングの通知とを並行して行うよう制御する制御手段を有することを特徴とする撮像システム。
【請求項５】
撮像装置を遠隔制御する機能を有する通信装置であって、
前記撮像装置から送られた画像と撮像のタイミングに係る撮像タイミング通知信号を受信する受信手段と、
前記受信手段により受信した画像を表示すると共に、前記受信手段により受信した前記撮像タイミング通知信号の内容に応じた撮像タイミング通知を行うよう制御する制御手段と、
を有することを特徴とする通信装置。
【請求項６】
前記制御手段は、前記画像を受信する度に、表示画像を更新することを特徴とする請求項５に記載の通信装置。
【請求項７】
前記制御手段は、前記タイミング通知信号の内容に応じた撮像タイミング通知を行うことを特徴とする請求項５に記載の通信装置。
【請求項８】
前記受信手段は、撮像タイミング通知信号を前記画像の付加情報として受信することを特徴とする請求項５に記載の通信装置。
【請求項９】
前記受信手段は、撮像タイミング通知信号と前記画像とを別データとして受信することを特徴とする請求項５に記載の通信装置。
【請求項１０】
前記制御手段は、前記受信手段により受信した前記撮像タイミング信号の内容に応じた音を再生することを特徴とする請求項５に記載の通信装置。
【請求項１１】
前記撮像タイミング通知信号としての画像を設定する設定手段を更に有することを特徴とする請求項５に記載の通信装置。
【請求項１２】
画像を入力する入力手段と、
前記入力手段から入力された画像と、撮像のタイミングに係る撮像タイミング通知信号をリモートコントローラに送信する送信手段と、
を有することを特徴とする撮像装置。
【請求項１３】
撮像タイミングまでの残り時間を示すタイミング値を予め定められた時間ごとに変更する第１タイミング値変更手段を更に有し、
前記タイミング値が予め定められた値に到達した時点で撮像を行ない、
前記送信手段は、前記リモートコントローラに、前記タイミング値を表す前記撮像タイミング通知信号を送信することを特徴とする請求項１２に記載の撮像装置。
【請求項１４】
前記送信手段は、前記第１タイミング値変更手段で前記タイミング値が変更されるたびに、前記撮像タイミング通知信号を送信することを特徴とする請求項１３に記載の撮像装置。
【請求項１５】
前記送信手段は、前記リモートコントローラからの要求に応じて、１回の撮像につき一度だけ前記タイミング値を表す前記撮像タイミング通知信号を前記リモートコントローラに送信することを特徴とする請求項１３に記載の撮像装置。
【請求項１６】
前記リモートコントローラとの通信によって生じる遅延誤差を判定する判定手段を更に有し、
前記送信手段は、前記遅延誤差を加味して前記撮像タイミング通知信号を生成し送信することを特徴とする請求項１２に記載の撮像装置。
【請求項１７】
前記送信手段は、前記リモートコントローラから前記画像の送信を要求されると、前記画像と共に前記撮像タイミング信号も送信することを特徴とする請求項１２に記載の撮像装置。
【請求項１８】
前記送信手段は、前記リモートコントローラからの要求に応じて前記画像を送信している最中に、前記リモートコントローラから前記撮像タイミング信号の送信を要求されると、以降は、前記画像と共に前記撮像タイミング信号を送信することを特徴とする請求項１２に記載の撮像装置。
【請求項１９】
前記送信手段は、前記画像の付加情報として前記撮像タイミング信号を送信することを特徴とする請求項１２に記載の撮像装置。
【請求項２０】
前記送信手段は、前記画像と撮像タイミング通知信号とを別データとして送信することを特徴とする請求項１２に記載の撮像装置。
【請求項２１】
前記送信手段は、リモートコントローラからの画像の要求が受信される度に、前記画像を送信することを特徴とする請求項１２に記載の撮像装置。
【請求項２２】
撮像装置と、前記撮像装置を遠隔制御するリモートコントローラとを含む撮像システムの制御方法であって、
前記撮像装置は、
画像を入力する入力工程と、
前記入力工程において入力された画像と、撮像のタイミングに係る撮像タイミング通知信号とを前記リモートコントローラに送信する送信工程と、
を実行し、
前記リモートコントローラは、前記撮像装置から送られた画像を表示すると共に、前記撮像装置から送られた前記撮像タイミング通知信号の内容に応じた撮像タイミング通知を行うよう制御する制御工程を実行することを特徴とする撮像システムの制御方法。
【請求項２３】
撮像装置を遠隔制御する機能を有する通信装置の制御方法であって、
前記撮像装置から送られた画像と撮像のタイミングに係る撮像タイミング通知信号を受信する受信工程と、
前記受信工程において受信された画像を表示すると共に、前記受信工程において受信された前記撮像タイミング通知信号の内容に応じた撮像タイミング通知を行うよう制御する制御工程と、
を有することを特徴とする通信装置の制御方法。
【請求項２４】
撮像装置の制御方法であって、
画像を入力する入力工程と、
前記入力工程において入力された画像と、撮像のタイミングに係る撮像タイミング通知信号をリモートコントローラに送信する送信工程と、
を有することを特徴とする撮像装置の制御方法。
【手続補正３】
【補正対象書類名】明細書
【補正対象項目名】０００１
【補正方法】変更
【補正の内容】
【０００１】
【発明の属する技術分野】
本発明は、撮像システム、遠隔制御機能を有する通信装置及び撮像装置、並びにそれらの制御方法に関するものである。
【手続補正４】
【補正対象書類名】明細書
【補正対象項目名】００１３
【補正方法】変更
【補正の内容】
【００１３】
【課題を解決するための手段】
上記目的を達成するため、本発明に係るシステムは、撮像装置と、前記撮像装置を遠隔制御するリモートコントローラとを含む撮像システムであって、前記撮像装置は、画像を入力する入力手段と、前記入力手段から入力された画像と、撮像のタイミングに係る撮像タイミング通知信号とを前記リモートコントローラに送信する送信手段と、を有し、前記リモートコントローラは、前記撮像装置から送られた画像を表示すると共に、前記撮像装置から送られた前記撮像タイミング通知信号の内容に応じた撮像タイミング通知を行うよう制御する制御手段を有することを特徴とする。
【手続補正５】
【補正対象書類名】明細書
【補正対象項目名】００１４
【補正方法】変更
【補正の内容】
【００１４】
本発明に係る他のシステムは、撮像装置と、リモートコントローラとを有する撮像システムにおいて、前記撮像装置は、画像を入力する入力手段と、前記入力手段から入力された画像と、撮像のタイミングに係る撮像タイミング通知信号とを前記リモートコントローラに送信する送信手段と、を有し、前記リモートコントローラは、前記撮像装置から送られた画像の表示と、前記撮像装置から送られた撮像タイミング通知信号に基づく撮像タイミングの通知とを並行して行うよう制御する制御手段を有することを特徴とする。
【手続補正６】
【補正対象書類名】明細書
【補正対象項目名】００１５
【補正方法】変更
【補正の内容】
【００１５】
上記目的を達成するため、本発明に係る装置は、撮像装置を遠隔制御する機能を有する通信装置であって、前記撮像装置から送られた画像と撮像のタイミングに係る撮像タイミング通知信号を受信する受信手段と、前記受信手段により受信した画像を表示すると共に、前記受信手段により受信した前記撮像タイミング通知信号の内容に応じた撮像タイミング通知を行うよう制御する制御手段と、を有することを特徴とする。
【手続補正７】
【補正対象書類名】明細書
【補正対象項目名】００１６
【補正方法】変更
【補正の内容】
【００１６】
本発明に係る他の装置は、撮像装置であって、画像を入力する入力手段と、前記入力手段から入力された画像と、撮像のタイミングに係る撮像タイミング通知信号をリモートコントローラに送信する送信手段と、を有することを特徴とする。
【手続補正８】
【補正対象書類名】明細書
【補正対象項目名】００１７
【補正方法】変更
【補正の内容】
【００１７】
上記目的を達成するため、本発明に係る方法は、撮像装置と、前記撮像装置を遠隔制御するリモートコントローラとを含む撮像システムの制御方法であって、前記撮像装置は、画像を入力する入力工程と、前記入力工程において入力された画像と、撮像のタイミングに係る撮像タイミング通知信号とを前記リモートコントローラに送信する送信工程と、を実行し、前記リモートコントローラは、前記撮像装置から送られた画像を表示すると共に、前記撮像装置から送られた前記撮像タイミング通知信号の内容に応じた撮像タイミング通知を行うよう制御する制御工程を実行することを特徴とする。
【手続補正９】
【補正対象書類名】明細書
【補正対象項目名】００１８
【補正方法】変更
【補正の内容】
【００１８】
本発明に係る他の方法は、撮像装置を遠隔制御する機能を有する通信装置の制御方法であって、前記撮像装置から送られた画像と撮像のタイミングに係る撮像タイミング通知信号を受信する受信工程と、前記受信工程において受信された画像を表示すると共に、前記受信工程おいて受信された前記撮像タイミング通知信号の内容に応じた撮像タイミング通知を行うよう制御する制御工程と、を有することを特徴とする。
【手続補正１０】
【補正対象書類名】明細書
【補正対象項目名】００１９
【補正方法】変更
【補正の内容】
【００１９】
本発明に係る他の方法は、撮像装置の制御方法であって、画像を入力する入力工程と、  前記入力工程において入力された画像と、撮像のタイミングに係る撮像タイミング通知信号をリモートコントローラに送信する送信工程と、を有することを特徴とする。
【手続補正１１】
【補正対象書類名】明細書
【補正対象項目名】００２０
【補正方法】削除
【補正の内容】